(57)【特許請求の範囲】
【請求項１】
ボタン電話装置に収容可能な第１の移動端末と第２の移動端末とを使用した移動通信システムであって、
第１の移動端末が、ボタン電話装置に収容している電話機との通話中にハンドオーバーを開始し、
アクセスポイントは、第１の移動端末からの応答がないことを確認してボタン電話装置にハンドオーバーを開始したことを通知し、
ボタン電話装置は設定情報に基いてハンドオーバー先の第２の移動端末に呼び出しを開始し、
第２の移動端末が呼び出しに応答後、ボタン電話装置は通話を第１の移動端末から第２の移動端末へと切り替えることによりハンドオーバーを実行し、
前記ハンドオーバーを開始するための所定時間を設定するタイマーを有し、
前記ボタン電話装置は、前記所定時間が経過した後に、前記第２の移動端末の呼び出しを開始し、
前記第２の移動端末の呼び出しを開始した後に、前記第１の移動端末のハンドオーバーが成功した場合には、前記第１の移動端末による通話復旧を行い、前記第２の移動端末への切り替えを中止し、
前記第２の移動端末への切り替えの中止は、
所定の応答待ちの後、前記第１の移動端末のハンドオーバーの切り替え通知後、前記第２の移動端末の切断要求を行い、前記第１の移動端末と通話を継続することにより行われることを特徴とする移動通信システム。
【請求項２】
前記ボタン電話装置は、通信の制御を行う通信制御部と前記設定情報を記録する情報記録装置とを有しており、
前記通信制御部は、前記第１の移動端末のハンドオーバーを開始したことを検出したとき、前記情報記録装置に記録されている前記設定情報を参照し、
前記通信制御部は、前記設定情報に基いて前記第２の移動端末に対して自動発呼により呼び出しを行い、呼び出しを受けた第２の移動端末が着信に応答した時点で通話切り替えを行うことにより前記ハンドオーバーを実行することを特徴とする請求項１に記載の移動通信システム。
【請求項３】
前記情報記録装置は、前記設定情報として、ハンドオーバー元端末の識別情報とハンドオーバー先端末の識別情報とを対応して記録することを特徴とする請求項１又は２に記載の移動通信システム。
【請求項４】
前記第１の移動端末はＷＬＡＮ端末であり、前記第２の移動端末はＰＨＳ端末であり、前記ＷＬＡＮ端末から前記ＰＨＳ端末へと切り替えることにより前記ハンドオーバーを実行することを特徴とする請求項１乃至３のいずれか１項に記載の移動通信システム。
【請求項５】
前記第１の移動端末はＰＨＳ端末であり、前記第２の移動端末はＷＬＡＮ端末であり、前記ＰＨＳ端末から前記ＷＬＡＮ端末へと切り替えることにより前記ハンドオーバーを実行することを特徴とする請求項１乃至３のいずれか１項に記載の移動通信システム。
【請求項６】
前記第１の移動端末は第１のＰＨＳ端末であり、前記第２の移動端末は第２のＰＨＳ端末であり、前記第１のＰＨＳ端末から前記第２のＰＨＳ端末へと切り替えることにより前記ハンドオーバーを実行することを特徴とする請求項１乃至３のいずれか１項に記載の移動通信システム。
【請求項７】
前記第１の移動端末は第１のＷＬＡＮ端末であり、前記第２の移動端末は第２のＷＬＡＮ端末であり、前記第１のＷＬＡＮ端末から前記第２のＷＬＡＮ端末へと切り替えることにより前記ハンドオーバーを実行することを特徴とする請求項１乃至３のいずれか１項に記載の移動通信システム。
【請求項８】
ボタン電話装置に収容可能な第１の移動端末の第１の機能と第２の移動端末の第２の機能とを併せ持つデュアル移動端末を使用した移動通信システムであって、
ボタン電話装置に、第１の移動端末の第１の機能と第２の移動端末の第２の機能とを登録しておき、
第１の移動端末の第１の機能により通話中にハンドオーバーを開始し、
アクセスポイントは、第１の移動端末の第１の機能からの応答がないことを確認してボタン電話装置にハンドオーバーを開始したことを通知し、
デュアル移動端末は、第１の移動端末の第１の機能のハンドオーバーを開始しつつ、第２の移動端末の第２の機能により発信を行い、
ボタン電話装置は、第１の移動端末と第２の移動端末とが同じ移動端末であること認識してハンドオーバーであることを検出し、
ボタン電話装置は、ハンドオーバーの待ち時間経過後、第２の移動端末の第２の機能による発信に応答し、
第１の移動端末の第１の機能による通話相手を第２の移動端末の第２の機能と接続ことによりハンドオーバーを実行し、
前記ハンドオーバーを開始するための所定時間を設定するタイマーを有し、
前記ボタン電話装置は、前記所定時間が経過した後に、前記第２の移動端末の呼び出しを開始し、
前記第２の移動端末の呼び出しを開始した後に、前記第１の移動端末のハンドオーバーが成功した場合には、前記第１の移動端末による通話復旧を行い、前記第２の移動端末への切り替えを中止し、
前記第２の移動端末への切り替えの中止は、
所定の応答待ちの後、前記第１の移動端末のハンドオーバーの切り替え通知後、前記第２の移動端末の切断要求を行い、前記第１の移動端末と通話を継続することにより行われることを特徴とする移動通信システム。
【請求項９】
前記第１の移動端末はＷＬＡＮ端末であり、前記第２の移動端末はＰＨＳ端末であることを特徴とする請求項８に記載の移動通信システム。
【請求項１０】
前記第１の移動端末はＰＨＳ端末であり、前記第２の移動端末はＷＬＡＮ端末であることを特徴とする請求項８に記載の移動通信システム。
【請求項１１】
前記第１の移動端末は第１のＰＨＳ端末であり、前記第２の移動端末は第２のＰＨＳ端末であることを特徴とする請求項８に記載の移動通信システム。
【請求項１２】
前記第１の移動端末は第１のＷＬＡＮ端末であり、前記第２の移動端末は第２のＷＬＡＮ端末であることを特徴とする請求項８に記載の移動通信システム。
【請求項１３】
ボタン電話装置に収容可能な第１の移動端末と第２の移動端末とを使用した移動通信方法であって、
第１の移動端末が、ボタン電話装置に収容している電話機との通話中にハンドオーバーを開始し、
アクセスポイントは、第１の移動端末からの応答がないことを確認してボタン電話装置にハンドオーバーを開始したことを通知し、
ボタン電話装置は設定情報に基いてハンドオーバー先の第２の移動端末に呼び出しを開始し、
第２の移動端末が呼び出しに応答後、ボタン電話装置は通話を第１の移動端末から第２の移動端末へと切り替えることによりハンドオーバーを実行し、
前記ハンドオーバーを開始するための所定時間を設定するタイマーを有し、
前記ボタン電話装置は、前記所定時間が経過した後に、前記第２の移動端末の呼び出しを開始し、
前記第２の移動端末の呼び出しを開始した後に、前記第１の移動端末のハンドオーバーが成功した場合には、前記第１の移動端末による通話復旧を行い、前記第２の移動端末への切り替えを中止し、
前記第２の移動端末への切り替えの中止は、
所定の応答待ちの後、前記第１の移動端末のハンドオーバーの切り替え通知後、前記第２の移動端末の切断要求を行い、前記第１の移動端末と通話を継続することにより行われることを特徴とする移動通信方法。
【請求項１４】
ボタン電話装置に収容可能な第１の移動端末の第１の機能と第２の移動端末の第２の機能と併せ持つデュアル移動端末を使用した移動通信方法であって、
ボタン電話装置に、第１の移動端末の第１の機能と第２の移動端末の第２の機能とを登録しておき、
第１の移動端末の第１の機能により通話中にハンドオーバーを開始し、
アクセスポイントは、第１の移動端末の第１の機能からの応答がないことを確認してボタン電話装置にハンドオーバーを開始したことを通知し、
デュアル移動端末は、第１の移動端末の第１の機能のハンドオーバーを開始しつつ、第２の移動端末の第２の機能により発信を行い、
ボタン電話装置は、第１の移動端末と第２の移動端末とが同じ移動端末であること認識してハンドオーバーであることを検出し、
ボタン電話装置は、ハンドオーバーの待ち時間経過後、第２の移動端末の第２の機能による発信に応答し、
第１の移動端末の第１の機能による通話相手を第２の移動端末の第２の機能と接続ことによりハンドオーバーを実行し、
前記ハンドオーバーを開始するための所定時間を設定するタイマーを有し、
前記ボタン電話装置は、前記所定時間が経過した後に、前記第２の移動端末の呼び出しを開始し、
前記第２の移動端末の呼び出しを開始した後に、前記第１の移動端末のハンドオーバーが成功した場合には、前記第１の移動端末による通話復旧を行い、前記第２の移動端末への切り替えを中止し、
前記第２の移動端末への切り替えの中止は、
所定の応答待ちの後、前記第１の移動端末のハンドオーバーの切り替え通知後、前記第２の移動端末の切断要求を行い、前記第１の移動端末と通話を継続することにより行われることを特徴とする移動通信方法。
【発明の詳細な説明】
【技術分野】
【０００１】
本発明は、ボタン電話装置に収容可能な第１の移動端末と第２の移動端末（あるいは、デュアル移動端末）を使用した移動通信システム及び移動通信方法に関し、特に、ＰＨＳ／ＷＬＡＮ間のハンドオーバー機能を有する移動通信システム及び移動通信方法に関する。
【背景技術】
【０００２】
従来のＰＨＳまたはＷＬＡＮでは、通話中に圏外移動またはハンドオーバーを失敗してしまった場合、通話はかならず終了してしまっていた。このため、ユーザーは切断後もう一度発呼を行わなければならなかった。
【０００３】
即ち、ＰＨＳであれＷＬＡＮであれ、通話中に基地局との電波状態を把握し、基地局の許容範囲を超えた場所へ移動した場合には、ハンドオーバーして他の基地局へ移ろうとする。そして、他の基地局へ移り変わるのを失敗した場合、元の基地局へも戻れず、通話中の回線が切断されてしまう。
【０００４】
このように、従来の移動通信システムでは、ハンドオーバーに失敗したり、圏外へと移動すると通話が終了してしまっていた。
【０００５】
これに関連する従来技術として、例えば、特開２００１−３６９３７号公報、特開平８−２７５２３３号公報等がある。
【０００６】
【特許文献１】特開２００１−３６９３７号公報
【特許文献２】特開平８−２７５２３３号公報
【発明の開示】
【発明が解決しようとする課題】
【０００７】
そこで、本発明は、上記従来技術の問題点に鑑みて成されたものであり、その目的は、一方の移動端末（無線端末）がハンドオーバーを失敗してしまった場合等に、他の移動端末へと通話を移動させることにより通話の切断を防ぎ通話品質の向上を図ることにある。
【課題を解決するための手段】
【０００８】
上記目的を達成するために、本発明では、ボタン電話装置に収容可能な第１の移動端末と第２の移動端末とを使用した移動通信システムであって、
第１の移動端末が、ボタン電話装置に収容している電話機との通話中にハンドオーバーを開始し、
アクセスポイントは、第１の移動端末からの応答がないことを確認してボタン電話装置にハンドオーバーを開始したことを通知し、
ボタン電話装置は設定情報に基いてハンドオーバー先の第２の移動端末に呼び出しを開始し、
第２の移動端末が呼び出しに応答後、ボタン電話装置は通話を第１の移動端末から第２の移動端末へと切り替えることによりハンドオーバーを実行することを特徴とする。
【０００９】
また、本発明では、ボタン電話装置に収容可能な第１の移動端末の第１の機能と第２の移動端末の第２の機能とを併せ持つデュアル移動端末を使用した移動通信システムであって、
ボタン電話装置に、第１の移動端末の第１の機能と第２の移動端末の第２の機能とを登録しておき、
第１の移動端末の第１の機能により通話中にハンドオーバーを開始し、
アクセスポイントは、第１の移動端末の第１の機能からの応答がないことを確認してボタン電話装置にハンドオーバーを開始したことを通知し、
デュアル移動端末は、第１の移動端末の第１の機能のハンドオーバーを開始しつつ、第２の移動端末の第２の機能により発信を行い、
ボタン電話装置は、第１の移動端末と第２の移動端末とが同じ移動端末であること認識してハンドオーバーであることを検出し、
ボタン電話装置は、ハンドオーバーの待ち時間経過後、第２の移動端末の第２の機能による発信に応答し、
第１の移動端末の第１の機能による通話相手を第２の移動端末の第２の機能と接続ことによりハンドオーバーを実行することを特徴とする。
【発明の効果】
【００１０】
本発明によれば、一方の移動端末がハンドオーバーを失敗してしまった場合等に、他の移動端末へと通話を移動させることにより通話の切断を防ぎ通話品質の向上を図ることができる。
【発明を実施するための最良の形態】
【００１１】
以下、図面を参照して、本発明の実施の形態について詳細に説明する。
【００１２】
（第１の実施の形態）
まず、図１を参照して、本発明の第１の実施の形態に係る移動通信システムの構成について説明する。
【００１３】
図１に示すように、第１の実施の形態に係る移動通信システムは、ボタン電話装置１００、電話機２００、ＷＬＡＮ端末３００、ＰＨＳ端末４００、アクセスポイント５００及び中継局６００を有する。
【００１４】
ボタン電話装置１００は、通信制御部１０、通話回路１１及び情報記録装置１２を有する。そして、通話回路１１に、アクセスポイント５００及び中継局６００が接続されている。
【００１５】
次に、図１から図５を参照して、第１の実施の形態に係る移動通信システムの動作について説明する。
【００１６】
ここで、図４は、第１の実施の形態に係る移動通信システムの動作を示すフローチャートである。このフローチャートを中心に他の図をも参照しながら動作を説明する。
【００１７】
第１の実施の形態では、ボタン電話装置１００に収容可能なＰＨＳ端末３００とＷＬＡＮ端末４００を使用する。
【００１８】
初期状態では、図１に示すように、ボタン電話装置１００に収容されている電話機２００とＷＬＡＮ端末３００とが通話中である（ステップ４０１）。
【００１９】
次に、ＷＬＡＮ端末３００が圏外であることが検出される（ステップ４０１）。具体的には、図２に示すように、ＷＬＡＮ端末３００が電話機２００と通話中にハンドオーバー（圏外移動）を開始し、アクセスポイント５００は、ＷＬＡＮ端末３００からのレスポンスがないことを確認してボタン電話装置１００にハンドオーバーを開始したことを通知する。
【００２０】
次に、切替タイマー（図示せず）が開始し、切替タイマーが所定時間経過した時に、図２に示すように、ボタン電話装置１００は設定情報をもとにハンドオーバー先のＰＨＳ端末４００に呼び出しを開始する（ステップ４０３〜４０５）。
【００２１】
次に、図３に示すように、ＰＨＳ端末４００の応答待ちを行い（ステップ４０６）、ＰＨＳ端末４００が呼び出しに応答後、ボタン電話装置１００は通話をＷＬＡＮ端末３００からＰＨＳ４００へと切り替えることによりハンドオーバーを実現する（ステップ４０７〜４１１）。
【００２２】
このように、ボタン電話装置１００の通信制御部１０がＷＬＡＮ端末３００のハンドオーバーを開始したことを検出したとき（ステップ４０２）、通信制御部１０は情報記録装置１２に記録されたハンドオーバー情報を参照する。そのハンドオーバー情報を基に通信制御部１０は、ＰＨＳ端末４００に対して自動発呼により呼び出しを行う（ステップ４０５）。その後、呼び出しを受けたＰＨＳ端末４００が着信に応答した時点で通話切り替えを行いハンドオーバーを実行する（ステップ４０８）。
【００２３】
ここで、ボタン電話装置１００内の情報記録装置１２に記録されているハンドオーバー情報の詳細を図５に示す。
【００２４】
図５に示すように、ハンドオーバー情報は、ハンドオーバー元端末の番号及び種別とハンドオーバー先端末の番号及び種別とから成る。
【００２５】
また、圏内に復帰して、ＷＬＡＮ端末３００のハンドオーバーが成功する場合もあり得る。このため、上述のように、ハンドオーバーを開始するためのタイマー（図示せず）を設ける。タイマーが所定時間経過後にボタン電話装置１００にて通話相手に相手がハンドオーバー中であることを音にて通知を行い、ＰＨＳ端末４００の呼び出しを開始する（ステップ４０３〜４０５）。
【００２６】
そして、ＷＬＡＮ端末３００のハンドオーバーが成功した場合、ＷＬＡＮ端末３００にハンドオーバー切り替え通知を行い、切替タイマーをキャンセルして、ＷＬＡＮ端末３００と通話を継続する（ステップ４１５〜４１７）。
【００２７】
また、応答待ち（ステップ４０６）の後、ＷＬＡＮ端末３００のハンドオーバーの切り替え通知後、ＰＨＳ端末４００の切断要求を行い、ＷＬＡＮ端末３００と通話を継続する（ステップ４１２〜４１４）。
【００２８】
第１の実施の形態によれば、従来は終話するしかなかったハンドオーバー失敗による通話を他の移動端末にて受けることが可能となり、通話の持続が可能となる。
【００２９】
また、ハンドオーバーによる呼び出しを開始した後でもハンドオーバー成功による通話復旧が可能となる。
【００３０】
また、ハンドオーバーに伴う無音通話を回避し、相手が通話が切れたと考えて終話することも回避できる。
【００３１】
（第２の実施の形態）
まず、図６を参照して、本発明の第２の実施の形態に係る移動通信システムの構成について説明する。
【００３２】
上記第１の実施の形態では、ハンドオーバー先の移動端末にて応答しなければならなかった。これを改善するために、第２の実施の形態では、ＷＬＡＮとＰＨＳの機能を実装したデュアル端末を使用して応答操作のないハンドオーバーを実現する。
【００３３】
図６に示すように、第２の実施の形態に係る移動通信システムは、ボタン電話装置１００、電話機２００、ＷＬＡＮ／ＰＨＳ端末７００、アクセスポイント５００及び中継局６００を有する。
【００３４】
ボタン電話装置１００は、通信制御部１０、通話回路１１及び情報記録装置１２を有する。そして、通話回路１１に、アクセスポイント５００及び中継局６００が接続されている。
【００３５】
次に、図６から図９を参照して、第２の実施の形態に係る移動通信システムの動作について説明する。ここで、図９は、第２の実施の形態に係る移動通信システムの動作を示すフローチャートである。このフローチャートを中心に他の図をも参照しながら動作を説明する。第２の実施の形態では、ボタン電話装置１００に収容可能なＰＨＳ／ＷＬＡＮ端末７００を使用する。このように、ＷＬＡＮとＰＨＳの両方とも、ボタン電話装置１００に登録しておく。
【００３６】
初期状態では、図９に示すように、ボタン電話装置１００に収容されている電話機２００とＷＬＡＮ／ＰＨＳ端末７００のＷＬＡＮとが通話中である（ステップ９０１）。
【００３７】
次に、ＷＬＡＮが圏外であることが検出される（ステップ９０１）。
【００３８】
図７に示すように、ＷＬＡＮにて通話中にハンドオーバー（圏外移動）を開始する。アクセスポイント５００は、ＷＬＡＮからのレスポンスがないことを確認してボタン電話装置１００にハンドオーバーを開始したことを通知する。ＷＬＡＮ／ＰＨＳ端末７００は、ＷＬＡＮのハンドオーバーを開始しつつ、ＰＨＳにて発信（ダイヤルデータなし）を行う（ステップ９０２から９０４）。
【００３９】
ボタン電話装置１００は、ＷＬＡＮとＰＨＳが同じ端末であることを情報記録装置１２から取得してハンドオーバーであることを検出する。
【００４０】
図８に示すように、ハンドオーバーの待ち時間経過後、ボタン電話装置１００はＰＨＳの発信に応答する。そして、ＷＬＡＮの通話相手をＰＨＳと接続して、ハンドオーバーを実現する（ステップ９０６から９１１）。
【００４１】
また、圏内に復帰して、ＷＬＡＮのハンドオーバーが成功する場合もあり得る。このため、上述のように、ハンドオーバーを開始するためのハンドオーバー待ちタイマー（図示せず）を設ける。ハンドオーバー待ちタイマーが所定時間経過後ＰＨＳの発呼を受信する（ステップ９０３、９０４）。
【００４２】
そして、ＷＬＡＮ端末３００のハンドオーバーが成功した場合、ＷＬＡＮにハンドオーバー切り替え通知を行い、切替タイマーをキャンセルして、ＷＬＡＮと通話を継続する（ステップ９１７〜９２３）。
【００４３】
また、応答待ち（ステップ９０５）の後、ＷＬＡＮのハンドオーバーの切り替え通知後、ハンドオーバーを実行し、ＰＨＳ応答通知を行い、ＰＨＳの切断要求を行い、ＷＬＡＮと通話を継続する（ステップ９１２〜９１６）。
【００４４】
次に、図１０を参照して、タイムアウトによりＰＨＳで通話を継続する動作の詳細を説明する。
【００４５】
初期状態では、デュアル端末（ＷＬＡＮ／ＰＨＳ端末）と通話相手とがボタン電話装置１を介して通話中である（ステップ１０１１、１０１２）。
【００４６】
次に、デュアル端末が通信レベルの低下を検出してＷＬＡＮアクセスポイントに通知する（ステップ１０１３）。
【００４７】
次に、ＷＬＡＮアクセスポイントが通信レベルの低下の検出をボタン電話装置に通知する（ステップ１０１４）。
【００４８】
次に、デュアル端末は、ＷＬＡＮアクセスポイントにハンドオーバー開始を通知する（ステップ１０１５）。
【００４９】
次に、ＷＬＡＮアクセスポイントは、ボタン電話装置にハンドオーバー開始を通知する（ステップ１０１６）。
【００５０】
次に、デュアル端末は、ＰＨＳアクセスポイントの発信開始を通知する（ステップ１０１７）。
【００５１】
次に、ＰＨＳアクセスポイントは、ボタン電話装置に発信開始を通知する（ステップ１０１８）。
【００５２】
次に、ボタン電話装置は、ＰＨＳアクセスポイントの応答を通知する（ステップ１０１９）。
【００５３】
次に、ＰＨＳアクセスポイントは、デュアル端末に応答を通知する（ステップ１０２０）。
【００５４】
次に、デュアル端末と通信相手の間でボタン電話装置を介してＰＨＳでの通話を開始する（ステップ１０２１、１０２２）。
【００５５】
次に、ＷＬＡＮアクセスポイントは、ボタン電話装置にハンドオーバー終了を通知する（ステップ１０２３）。
【００５６】
次に、ボタン電話装置は、ＷＬＡＮアクセスポイントの切断を通知する（ステップ１０２４）。
【００５７】
最後に、ＷＬＡＮアクセスポイントは、デュアル端末に切断を通知する（ステップ１０２５）。
【００５８】
次に、図１１を参照して、ＷＬＡＮで通話を継続する動作の詳細を説明する。
【００５９】
初期状態では、デュアル端末（ＷＬＡＮ／ＰＨＳ端末）と通話相手とがボタン電話装置を介して通話中である（ステップ１１１１）。
【００６０】
次に、デュアル端末が通信レベルの低下を検出してＷＬＡＮアクセスポイントに通知する（ステップ１１１２）。
【００６１】
次に、ＷＬＡＮアクセスポイントが通信レベルの低下の検出をボタン電話装置に通知する（ステップ１１１３）。
【００６２】
次に、デュアル端末は、ＷＬＡＮアクセスポイントにハンドオーバー開始を通知する（ステップ１１１４）。
【００６３】
次に、ＷＬＡＮアクセスポイントは、ボタン電話装置にハンドオーバー開始を通知する（ステップ１１１５）。
【００６４】
次に、デュアル端末は、ＰＨＳアクセスポイントに発信開始を通知する（ステップ１１１６）。
【００６５】
次に、ＰＨＳアクセスポイントは、ボタン電話装置に発信開始を通知する（ステップ１１１７）。
【００６６】
次に、ＷＬＡＮアクセスポイントは、ボタン電話装置にハンドオーバー終了を通知する（ステップ１１１８）。
【００６７】
次に、ボタン電話装置は、ＰＨＳアクセスポイントに応答を通知する（ステップ１１１９）。
【００６８】
次に、ＰＨＳアクセスポイントは、デュアル端末に応答を通知する（ステップ１１２０）。
【００６９】
次に、ボタン電話装置は、ＰＨＳアクセスポイントに切断を通知する（ステップ１１２１）。
【００７０】
次に、ＰＨＳアクセスポイントは、デュアル端末に切断を通知する（ステップ１１２２）。
【００７１】
最後に、デュアル端末と通信相手の間でボタン電話装置を介してＷＬＡＮでの通話を継続する（ステップ１１２３）。
【００７２】
第２の実施の形態によれば、ユーザーは意識することなく異なる無線間のハンドオーバーを行い通話を継続することが可能となる。
【００７３】
以上、本発明者によってなされた発明を実施例に基づき具体的に説明したが、本発明は上記実施例に限定されるものではなく、その要旨を逸脱しない範囲で種々変更可能であることは言うまでもない。
【００７４】
例えば、上記第１の実施の形態では、ＷＬＡＮ端末からＰＨＳ端末へのハンドオーバーを実現したが、ハンドオーバーおよび圏外の検出を行える中継局／アクセスポイントであれば、上記第１の実施の形態の仕組みを利用してＰＨＳ端末からＷＬＡＮ端末、ＷＬＡＮ端末からＷＬＡＮ端末、ＰＨＳ端末からＰＨＳ端末へのハンドオーバーを行うことも可能である。この方法により、どの無線端末によるハンドオーバーであっても別の電話機にて通話を継続することが可能となる。
【００７５】
同様に、上記第２の実施の形態のデュアル端末においても、ＰＨＳからＷＬＡＮ、ＷＬＡＮからＷＬＡＮ、ＰＨＳからＰＨＳへのハンドオーバーを行うことも可能である。
【図面の簡単な説明】
【００７６】
【図１】本発明の第１の実施の形態に係る移動通信システムの構成をその動作状態と共に示す図である。
【図２】本発明の第１の実施の形態に係る移動通信システムの構成をその動作状態と共に示す図である。
【図３】本発明の第１の実施の形態に係る移動通信システムの構成をその動作状態と共に示す図である。
【図４】本発明の第１の実施の形態に係る移動通信システムの動作を示すフローチャートである。
【図５】ボタン電話装置内の情報記録装置に記録されているハンドオーバー情報の詳細を示す図である。
【図６】本発明の第２の実施の形態に係る移動通信システムの構成をその動作状態と共に示す図である。
【図７】本発明の第２の実施の形態に係る移動通信システムの構成をその動作状態と共に示す図である。
【図８】本発明の第２の実施の形態に係る移動通信システムの構成をその動作状態と共に示す図である。
【図９】本発明の第２の実施の形態に係る移動通信システムの動作を示すフローチャートである。
【図１０】本発明の第２の実施の形態に係るタイムアウトによりＰＨＳで通話を継続する動作の詳細を説明するための図である。
【図１１】本発明の第２の実施の形態に係るＷＬＡＮで通話を継続する動作の詳細を説明するための図である。
【符号の説明】
【００７７】
１０  通信制御部
１１  通話回路
１２  情報記録装置
１００  ボタン電話装置
２００  電話機
３００  ＷＬＡＮ端末
４００  ＰＨＳ端末
５００  アクセスポイント
６００  中継局
７００  ＷＬＡＮ／ＰＨＳ端末
【図１】
0005182696.tif 000002
【図２】
0005182696.tif 000003
【図３】
0005182696.tif 000004
【図４】
0005182696.tif 000005
【図５】
0005182696.tif 000006
【図６】
0005182696.tif 000007
【図７】
0005182696.tif 000008
【図８】
0005182696.tif 000009
【図９】
0005182696.tif 000010
【図１０】
0005182696.tif 000011
【図１１】
0005182696.tif 000012